(57)【要約】【課題】  音声を用いて情報を送信する音響通信システムにおいて、音響ＩＤを受信してＩＤコードにデコードするデコード機能のオン／オフを適宜制御することが可能な携帯端末装置を提供する。【解決手段】  音声信号化された識別情報である音響ＩＤを収音する収音部と、収音された音響ＩＤから識別情報を復調する復調部と、利用者によって操作される操作部と、操作部が操作されたとき復調部をオンし、復調部が識別情報を復調したのち復調部をオフするオン／オフ制御部とを備える。【選択図】図５
2013005377.tif 000002
【特許請求の範囲】
【請求項１】
携帯端末装置と放音装置とが音響的に接続され、前記携帯端末装置とコンテンツサーバとが情報通信ネットワークで接続された情報提供システムであって、
前記放音装置は、音声信号化された識別情報である音響ＩＤを放音し、
前記コンテンツサーバは、前記携帯端末装置からのアクセスに対応して所定のコンテンツを前記携帯端末装置に返信し、
前記携帯端末装置は、前記放音装置によって放音された音響ＩＤを収音する収音部と、収音された音響ＩＤから前記識別情報を復調する復調部と、復調された識別情報を用いて前記コンテンツサーバにアクセスし、コンテンツを取得するコンテンツ取得部と、前記復調部をオン／オフするオン／オフ制御部と、を備え、
前記オン／オフ制御部は、利用者によって操作される操作部を備え、該操作部が操作されたとき前記復調部をオンし、前記復調部が前記識別情報を復調したのち前記復調部をオフする
情報提供システム。
【請求項２】
前記携帯端末装置と情報ネットワークで接続された識別情報解決サーバをさらに有し、
前記識別情報解決サーバは、前記携帯端末装置から前記識別情報を受信して、この識別情報に対応する前記コンテンツサーバのアドレス情報を前記携帯端末装置に返信し、
前記コンテンツ取得部は、前記識別情報を前記識別情報解決サーバに送信して前記コンテンツサーバのアドレス情報を取得し、取得したアドレス情報を用いて前記コンテンツサーバにアクセスする
請求項１に記載の情報提供システム。
【請求項３】
前記携帯端末装置と情報ネットワークで接続されたポータルサーバをさらに有し、
前記ポータルサーバは、前記携帯端末装置から前記識別情報を受信して、この識別情報に対応する前記識別情報解決サーバのアドレス情報を前記携帯端末装置に返信し、
前記コンテンツ取得部は、前記識別情報を前記ポータルサーバに送信して前記識別情報解決サーバのアドレス情報を取得し、取得したアドレス情報を用いて前記識別情報解決サーバにアクセスする
請求項２に記載の情報提供システム。
【請求項４】
前記オン／オフ制御部は、前記携帯端末装置が、前記情報通信ネットワークに接続されたとき、前記復調部をオンする請求項１乃至請求項３のいずれかに記載の情報提供システム。
【請求項５】
前記オン／オフ制御部は、前記携帯端末装置が、前記情報通信ネットワークから切断されたとき、前記復調部をオフする請求項４に記載の情報提供システム。
【請求項６】
前記携帯端末装置に、自己の位置を検出する位置検出部をさらに設け、
前記オン／オフ制御部は、前記放音装置から所定距離以内に接近したとき、前記復調部をオンする請求項１乃至請求項３のいずれかに記載の情報提供システム。
【請求項７】
前記オン／オフ制御部は、前記放音装置から所定距離以上離れたとき、前記復調部をオフする請求項６に記載の情報提供システム。
【請求項８】
音声信号化された識別情報である音響ＩＤを収音する収音部と、
収音された音響ＩＤから前記識別情報を復調する復調部と、
利用者によって操作される操作部と、
前記操作部が操作されたとき前記復調部をオンし、前記復調部が前記識別情報を復調したのち前記復調部をオフするオン／オフ制御部と、
を備えた携帯端末装置。
【発明の詳細な説明】
【技術分野】
【０００１】
この発明は、音声を用いたＩＤコードの通信により情報を提供する情報提供システムおよび情報提供システムなどに用いられる携帯端末装置に関する。
【背景技術】
【０００２】
音声を用いてＩＤコードなどの情報を伝送する音響通信システムが提案されている（たとえば特許文献１）。このシステムは以下のようである。送信装置は、ＩＤコードを疑似ノイズ符号で拡散し、非可聴帯域の音声周波数に周波数シフトして音響ＩＤとして放音する。受信装置は、スマートフォンなどの携帯端末装置であり、音声を収音してデジタル信号に変換し、このデジタルの音声信号をフィルタリングすることによって音響ＩＤを抽出し、これをデコードしてＩＤコードを取得する。なお、スマートフォンとは、情報端末機能を有する多機能携帯電話である。
【０００３】
このシステムは、たとえば、観光地やショッピングモールなどで道案内や売出し情報の送信に用いられたり、テレビ放送で放送中の番組に関連した情報を提供するために用いられる。観光地やショッピングモールでは、どこで音響ＩＤが送信されているか判らないため、ユーザは携帯端末装置のデコード機能を常時オンしておく必要がある。また、テレビ放送でもいつ音響ＩＤが放送されるか判らないため、ユーザは携帯端末装置のデコード機能を常時オンしておく必要がある。
【先行技術文献】
【特許文献】
【０００４】
【特許文献１】国際公開第２０１０／０１６５８９号パンフレット
【発明の概要】
【発明が解決しようとする課題】
【０００５】
上述の、音声を収音してデジタル信号に変換し、このデジタルの音声信号をフィルタリングすることによって音響ＩＤを抽出し、これをデコードしてＩＤコードを取得するというデコード処理は、携帯端末装置にとって大きな電力を消費する処理である。しかしながら、携帯端末装置はバッテリ駆動であるため、電力の消耗は極力抑える必要がある。したがって、観光地やショッピングモールなどにいる間ずっと、または、テレビを見ている間ずっと携帯端末装置のデコード機能をオンさせておくことは好ましいことではなかった。
【０００６】
この発明は、音声を用いて情報を送信する音響通信システムにおいて、音響ＩＤを受信してＩＤコードにデコードするデコード機能のオン／オフを適宜制御することが可能な携帯端末装置を提供することを目的とする。
【課題を解決するための手段】
【０００７】
本発明である情報提供システムは、携帯端末装置と放音装置とが音響的に接続され、前記携帯端末装置とコンテンツサーバとが情報通信ネットワークで接続された情報提供システムであって、前記放音装置は、音声信号化された識別情報である音響ＩＤを放音し、前記コンテンツサーバは、前記携帯端末装置からのアクセスに対応して所定のコンテンツを前記携帯端末装置に返信し、前記携帯端末装置は、前記放音装置によって放音された音響ＩＤを収音する収音部と、収音された音響ＩＤから前記識別情報を復調する復調部と、復調された識別情報を用いて前記コンテンツサーバにアクセスし、コンテンツを取得するコンテンツ取得部と、前記復調部をオン／オフするオン／オフ制御部と、を備え、前記オン／オフ制御部は、利用者によって操作される操作部を備え、該操作部が操作されたとき前記復調部をオンし、前記復調部が前記識別情報を復調したのち、前記操作部の操作の有無にかかわらず前記復調部をオフすることを特徴とする。  
【０００８】
また、前記携帯端末装置から前記識別情報を受信して、この識別情報に対応する前記コンテンツサーバのアドレス情報を前記携帯端末装置に返信する識別情報解決サーバをさらに設け、前記コンテンツ取得部が、前記識別情報を前記識別情報解決サーバに送信して前記コンテンツサーバのアドレス情報を取得し、取得したアドレス情報を用いて前記コンテンツサーバにアクセスするようにしてもよい。
【０００９】
また、前記携帯端末装置から前記識別情報を受信して、この識別情報に対応する前記識別情報解決サーバのアドレス情報を前記携帯端末装置に返信するポータルサーバをさらに設け、前記コンテンツ取得部が、前記識別情報を前記ポータルサーバに送信して前記識別情報解決サーバのアドレス情報を取得し、取得したアドレス情報を用いて前記識別情報解決サーバにアクセスするようにしてもよい。
【００１０】
また、携帯端末装置が、情報通信ネットワークに接続されたとき、復調部をオンさせたり、携帯端末装置が、情報通信ネットワークから切断されたとき、復調部をオフさせたりしてもよい。
【００１１】
また、携帯端末装置に自己の位置を検出する位置検出部をさらに設け、放音装置から所定距離以内に接近したとき復調部をオンさせたり、放音装置から所定距離以上離れたとき復調部をオフさせたりしてもよい。
【００１２】
本発明の携帯端末装置は、音声信号化された識別情報である音響ＩＤを収音する収音部と、収音された音響ＩＤから前記識別情報を復調する復調部と、利用者によって操作される操作部と、前記操作部が操作されたとき前記復調部をオンし、前記復調部が前記識別情報を復調したのち前記復調部をオフするオン／オフ制御部と、を備えたことを特徴とする。
【発明の効果】
【００１３】
この発明によれば、音響ＩＤを識別情報に復調する復調部を必要なときのみオンし、それ以外の場面では復調部をオフすることができるため、無駄な電力消費を抑制することが可能になる。
【図面の簡単な説明】
【００１４】
【図１】この発明の案内システムの構成図
【図２】コンテンツデータベースの記憶内容を示す図
【図３】案内装置のブロック図
【図４】案内装置から放音される音声の周波数成分を例示する図
【図５】携帯端末装置の一例であるスマートフォンのブロック図
【図６】携帯端末装置の音声信号処理部の動作を示すフローチャート
【図７】コンテンツサーバの動作を示すフローチャート
【図８】案内システムの他の形態を説明する図
【発明を実施するための形態】
【００１５】
図面を参照してこの発明の実施形態である案内システムについて説明する。図１は、案内システムの構成を説明する図である。この案内システムは、たとえば観光地などに設置されるシステムであり、案内装置１、携帯端末装置２およびコンテンツサーバ４を有している。案内装置１は、観光地の複数の観光スポット（地点）にそれぞれ設けられる。スマートフォン２は、この観光地を訪れるユーザ６が所持するものである。コンテンツサーバ４は、インターネットなどのネットワーク３を介して携帯端末装置２と接続される。なお、携帯端末装置２としては、情報端末機能を有する多機能携帯電話であるスマートフォンを用いることが可能である。
【００１６】
案内装置１はスピーカ１６（図４参照）を備え、このスピーカ１６からその観光スポットを解説するガイド音声を放音する。この案内音声により、観光客であるユーザ６は、その観光スポットの詳細を知ることができる。
【００１７】
そして、この案内音声に音響ＩＤ５０が重畳されており、案内装置１は、案内音声と音響ＩＤ５０を合成した音声をスピーカ１６から放音する。音響ＩＤ５０は、１８〜２０ｋＨｚの高い周波数帯域の音声信号からなり、ユーザ６が所持する携帯端末装置２が所定のコンテンツ５２を取得するための情報を含むものである。携帯端末装置２は、この音響ＩＤ５０を収音してデコードする機能、デコードしたＩＤコード５１を用いてコンテンツサーバ４にアクセスする機能、および、このＩＤコード５１に対応するコンテンツ５２である道案内情報を取得して表示部に表示する機能を有している。道案内情報は、現在、ユーザ６がいる観光スポット（案内装置１の所在地）から次の観光スポットへ移動するための案内情報であり、携帯端末装置２の表示部２５（図５参照）に表示する画像、および／または、オーディオアンプ２７で再生される音声などからなる。
【００１８】
観光地には複数の観光スポットが存在し、各観光スポットにはそれぞれ案内装置１が設置されている。それぞれの案内装置１は、その地点（観光スポット）のガイド音声を放音すると同時に、その地点を示すＩＤコード５１を音響ＩＤ５０として放音する。コンテンツサーバ４のコンテンツデータベース４０（図２参照）には、そのＩＤコード５１の地点から次の地点（観光スポット）へ至るための道案内情報が記憶されている。コンテンツサーバ４は、携帯端末装置２からＩＤコード５１を受信すると、そのＩＤコード５１に対応する道案内情報を返信する。
【００１９】
なお、通常の道案内であれば、次の地点までの道順を示す情報を道案内情報としてコンテンツデータベース４０に記憶しておけばよいが、この実施形態では、案内システムに「宝探し」や「オリエンテーリング」などのゲーム性を持たせるために、道案内情報として次の地点への道順のほか、次の地点の名前（観光スポット名）やその地点（観光スポット）を割り出すヒントなどを記憶している。
【００２０】
図２はコンテンツサーバ４に設けられるコンテンツデータベース４０の構成図である。コンテンツデータベース４０には、複数の地点（案内装置１）にそれぞれ設定されるＩＤとそのＩＤが設定される地点（観光スポット）名、その制限時間帯、および、コンテンツ５２が記憶されている。図２には、地点名として地点Ａ〜Ｄと記載しているが、具体的には観光スポットの名称である。時間帯は、この地点（オリエンテーリングのチェックポイント）を有効に通過できる制限時間である。図２の例では、１１時〜１２時の間に地点Ａをスタートし、順次、地点Ｂ，Ｃ，Ｄに１３時３０分、１５時、１６時３０分までにするように制限時間が定められている。そして、コンテンツ５２である道案内情報は、地点Ａにおいては「地点Ｂまでの道順」が記憶されており、通常の道案内と同様にそれをこの案内どおりに道を辿ってゆけば地点Ｂに到達できるようになっている。一方、地点Ｂにおいては「地点Ｃの名前」が記憶されており、その名前の場所を地図などで探してたどり着くように指示されている。また、地点Ｃにおいては「地点Ｄのヒント」が記憶されており、このヒントに基づいて地点Ｄを割り出し、その場所を地図などで探してたどり着くように指示さている。そして、地点Ｄはゴールであるため、コンテンツ５２としてはゴールした旨の画像を提供するＵＲＬが記憶されている。この画像を「お宝」とすれば、このオリエンテーリングを宝探しゲームとするすることも可能である。
【００２１】
なお、通常の道案内であれば、制限時間帯は不要であり、全ての地点のコンテンツ５２に次の地点への道順情報を含めればよい。道案内情報に画像データなどを組み合わせてコンテンツ５２としてもよい。また、最後の地点（図２では地点Ｄ）のコンテンツ５２に地点Ａへの道順情報を含めることにより、どの地点からスタートしても全ての地点（観光スポット）を巡ることができるようになる。
【００２２】
図３を参照して、ガイド音声を放音する案内装置１の構成を説明する。案内装置１は、ＩＤメモリ１１、変調部１２、ガイド音声再生部１３、合成部１４、増幅器１５およびスピーカ１６を備えている。ＩＤメモリ１１には所定の道案内情報（コンテンツ５２）に対応づけられるＩＤコード５１が記憶されている。変調部１２は、ＩＤコード５１を空気振動である音波として放音可能な周波数帯域の信号（音響ＩＤ５０）に変調する処理部である。変調部１２は、ＩＤコード５１で拡散符号を位相変調し、この位相変調された拡散符号を非可聴帯域まで周波数シフトして放音する。この技術は、本出願人による国際特許出願（国際公開第２０１０／０１６５８９号パンフレット）に詳細に説明されている。ガイド音声再生部１３は、この案内装置１が設置されている観光スポットの詳細や見どころなどをアナウンスする音声やＢＧＭなどを再生する。合成部１４は、拡散変調されたＩＤコード５１である音響ＩＤ５０とガイド音声とを加算合成し、合成された音声信号を増幅器１５に出力する。増幅器１５は合成部１４から入力された音声信号を適当な電力まで増幅してスピーカ１６に供給する。スピーカ１６は増幅器１５から入力された音声信号を音響として放音する。
【００２３】
音響ＩＤ５０は、ＩＤコード５１を特定の拡散符号で拡散し、１８〜２０ｋＨｚの周波数帯域へ周波数シフトしたものである。上述したように、この技術は本出願人による国際特許出願（国際公開第２０１０／０１６５８９号パンフレット）に詳細に説明されている。案内装置１のスピーカ１６で再生可能な周波数帯域は、概ね１００Ｈｚ〜２０ｋＨｚの範囲である。図４に示すように、ガイド音声の上限周波数は１６ｋＨｚ程度であり、音響ＩＤ５０は、このガイド音声に対して１８〜２０ｋＨｚの帯域に重畳される。これにより、ガイド音声と音響ＩＤ５０とが、帯域が重複することなくスピーカ１６から放音される。なお、音響ＩＤ５０の変調方式およびガイド音声に対する音響ＩＤ５０の重畳方式は上に述べた方式に限定されない。
【００２４】
図５は携帯端末装置の一例であるスマートフォン２の本願発明に関係する部分のみを取り出した機能ブロック図である。スマートフォン２は、制御部２０、マイク２１、Ａ／Ｄコンバータ２２、ネットワーク通信部２３、地図データメモリ２４、表示部２５、操作部２６、オーディオアンプ２７、ＧＰＳ測位部２８およびスイッチ２９を備えている。
【００２５】
マイク２１は、案内装置１のスピーカから放音された音声を収音して電気信号である音声信号に変換する。Ａ／Ｄコンバータ２２は、マイク２１から入力したアナログの音声信号をデジタル信号に変換する。ネットワーク通信部２３は、ネットワーク３を介してコンテンツサーバ４と通信する。地図データメモリ２４は、案内システムのカバーエリアである観光地の地図データを記憶する。この地図データメモリ２４は内蔵のフラッシュメモリやハードディスクでもよく、スロットに挿入されるＳＤカード等の記憶媒体でもよい。表示部２５は、スマートフォン２の前面に設けられた液晶画面を含み、この液晶画面に地図などの画像を表示する。操作部２６は、液晶画面の表面に形成されたタッチパネルであり、ユーザ６によってタッチされた位置を検出して制御部２０に入力する。オーディオアンプ２７は制御部２０から出力されたデジタルオーディオ信号をＤ／Ａ変換および増幅して出力する。オーディオアンプ２７には内蔵スピーカまたはイヤホンジャックが接続される。ＧＰＳ測位部２８は、ＧＰＳシステムを用いてスマートフォン２（ユーザ６）の現在位置を測位する。
【００２６】
スイッチ２９は、音声信号処理部２００の動作をユーザ６の操作によりオン／オフするためのスイッチである。音声信号処理部２００は、Ａ／Ｄコンバータ２２および制御部２０に機能的に設けられる音響ＩＤ処理部３１からなる。Ａ／Ｄコンバータ２２は電力の消費が大きく、音響ＩＤ５０処理部３１はＣＰＵパワーの消費が大きいため、音響ＩＤ５０のデコードを行うときオンされ、デコードが終了するとオフされる。この音声信号処理部２００のオン／オフは、ユーザ６によるスイッチ２９の操作により、または、自動的に行われる。なお、図５ではスイッチ２９を操作部２６とは別にハードウェア的に設けているが、操作部２６のタッチパネルおよび表示部２５の液晶画面を用いてソフトウェア的に設けてもよい。
【００２７】
制御部２０には、アプリケーションプログラムとの協働により音響ＩＤ処理部３１、画像再生部３２、音声再生部３３およびウェブブラウザ３４が構成される。音響ＩＤ５０処理部３１は、マイク２１によって収音された音声信号を整合フィルタに通すことによってＩＤコード５１を復調するＩＤコード復調部、ネットワーク通信部２３を制御してコンテンツサーバ４と通信するコンテンツ取得部などからなっている。ＩＤコード５１は、たとえば、ＩＤコード５１の拡散に用いられた拡散符号列がフィルタ係数として設定されている適合フィルタに音響ＩＤ５０を通すことにより復調される。この復調処理の詳細は、上述の国際公開第２０１０／０１６５８９号パンフレットに記載されている。画像再生部３２は、地図データメモリ２４から地図データを読み出して、ＧＰＳ測位部２８が測位した現在位置やコンテンツサーバ４から受信した道案内情報などを合成して表示部２５に出力する。音声再生部３３は、各種の音声を再生してオーディオアンプ２７に出力する。ウェブブラウザ３４は、コンテンツサーバ４から取得したコンテンツ５２がＵＲＬの場合に、そのＵＲＬにアクセスしてウェブページを表示する。
【００２８】
この実施形態では、スイッチ２９は、図６のフローチャートで説明するように、音声信号処理部２００をオンするスイッチとして機能し、音声信号処理部２００は音響ＩＤ５０をデコードしたとき、電力消費、ＣＰＵパワーの浪費を抑えるために自動的にオフする。ただし、音声信号処理部２００をスイッチ２９の操作により手動でオフできるようにしてもよい。
【００２９】
また、音声信号処理部２００を、制御部２０に自動的にオンさせるようにしてもよい。たとえば、制御部２０が、ＣＰＵ測位部２８の測位結果に基づき、案内装置１に接近したことを検出したとき音声信号処理部２００をオンする。また、案内装置１から遠ざかったことを検出したとき、制御部２０が音声信号処理部２００をオフするようにしてもよい。
【００３０】
また、スマートフォン２は、インターネットなどのネットワーク３を介してコンテンツサーバ４０と接続される。制御部２０は、Ｗｉ−Ｆｉなどの無線ＬＡＮの圏内に入ったとき、または、３Ｇ通信によりインターネットにダイヤルアップ接続されたとき、音声信号処理部２００をオンするようにしてもよい。また、これらのネットワーク接続が切断されたとき、音声信号処理部２００をオフするようにしてもよい。
【００３１】
図６（Ａ）、（Ｂ）は携帯端末装置２の制御部２０の動作を示すフローチャートである。図７はコンテンツサーバ４の動作を示すフローチャートである。
【００３２】
図６（Ａ）は、スイッチ２９の操作検出動作を示すフローチャートである。この動作は、数ミリ秒ごとに繰り返し実行される。ステップＳ１１（以下、ステップＳｎを単にＳｎと記す）でスイッチ２９がオンされたか（オンイベントが発生したか）否かを検出する。スイッチ２９がオンされていない場合には（Ｓ１１でＮＯ）そのまま動作を終了する。スイッチ２９がオンされた場合には（Ｓ１１でＮＯ）、現在音声信号処理部２００が起動中であるかを判断する（Ｓ１２）。音声信号処理部２００が起動中の場合には（Ｓ１２でＹＥＳ）そのまま動作を終了する。音声信号処理部２００が起動していない場合には（Ｓ１２でＮＯ）、音声信号処理部２００を起動して（Ｓ１３）動作を終了する。なお、Ｓ１２で音声信号処理部２００が起動していた場合、音声信号処理部２００を停止するようにしてもよい。
【００３３】
図６（Ｂ）は音響ＩＤデコード動作を示すフローチャートである。この動作は、図６（Ａ）の動作により（または自動的に）音声信号処理部２００が起動されたときスタートする。スタート後、音響ＩＤ５０処理部３１は、Ｓ１で待機している。音響ＩＤ５０を検出すると（Ｓ１でＹＥＳ）、これをデコードする（Ｓ２）。そして、デコードしたＩＤコード５１をコンテンツサーバ４に送信する（Ｓ３）。コンテンツサーバ４は受信したＩＤコード５１に対応して図７の処理を実行し、対応するメッセージを返信する。携帯端末装置２の制御部２０はこの返信を受信すると、その返信内容を判定する（Ｓ４）。返信内容が道案内情報であれば、その道案内情報を地図データとともに表示部２５に表示し、これに音声が伴う場合にはこれをオーディオアンプ２７で再生する（Ｓ５）。また、返信内容がＵＲＬであれば、ウェブブラウザ３４を起動し（Ｓ７）、受信したＵＲＬをウェブブラウザ３４に渡して（Ｓ８）、このＵＲＬにアクセスしてウェブページを表示させる（Ｓ１０）。また、返信内容がＩＤコード５１が無効である旨のメッセージであれば、その旨、すなわち、間違ったＩＤコードである旨、または、その地点への到達が遅すぎて時間切れである旨を表示部２５に表示する（Ｓ９）。Ｓ５、Ｓ８またはＳ９の処理ののち音声信号処理部２００の動作を停止させて（Ｓ６）処理を終了する。
【００３４】
図７はコンテンツサーバ４の動作を示すフローチャートである。端末装置である携帯端末装置２からＩＤコード５１を受信するまでＳ２１で待機している。ＩＤコード５１を受信すると（Ｓ２１でＹＥＳ）、そのときの時刻を読み取り（Ｓ２２）、この時刻（受信時刻）と受信したＩＤコード５１の組み合わせでコンテンツデータベース４０を検索する（Ｓ２３）。検索の結果ＩＤコード５１が有効であれば、すなわち、コンテンツデータベース４０にＩＤコード５１が存在し、そのＩＤコード５１の制限時間に受信時刻が含まれている場合には（Ｓ２４でＹＥＳ）、ＩＤコード５１に対応するコンテンツ５２を読み出して、携帯端末装置２に返信する（Ｓ２５）。ＩＤコード５１が有効でない場合、すなわち、ＩＤコード５１が存在しない場合または受信時刻が制限時間から外れている場合には（Ｓ２４でＮＯ）、ＩＤコード５１が無効である旨、すなわち、ＩＤコード５１が存在しないまたは時間切れである旨のメッセージを携帯端末装置２に返信する（Ｓ２６）。
【００３５】
上記実施形態は、図８（Ａ）に示すように、携帯端末装置２にコンテンツサーバ４のＵＲＬ５３を記憶しておき、携帯端末装置２が、音響ＩＤ５０を収音してＩＤコード５１をデコードしたとき、このＩＤコード５１をコンテンツサーバ４に送信し、その返信としてコンテンツ５２を取得する形態であった。しかし、音響ＩＤ５０を用いてコンテンツサーバ４からコンテンツ５２を取得するシステムは、図８（Ａ）に示した形態以外の形態、たとえば図８（Ｂ）、（Ｃ）に示す形態でも実現可能である。
【００３６】
図８（Ｂ）の形態では、携帯端末装置２にＩＤ解決サーバ７のＵＲＬ５４を記憶しておく。ＩＤ解決サーバ７は、携帯端末装置２からＩＤコード５１を受信し、このＩＤコード５１に対応するコンテンツサーバ４のＵＲＬ５３を携帯端末装置２に返信するサーバである。携帯端末装置２が、音響ＩＤ５０を収音してＩＤコード５１をデコードしたとき、このＩＤコード５１をＩＤ解決サーバ７に送信して、その返信として対応するコンテンツサーバ４のＵＲＬ５３を取得する。携帯端末装置２は、このＵＲＬ５３を用いてコンテンツサーバ４にアクセスすることによりコンテンツ５２を取得する。このときＩＤコード５１をコンテンツサーバ４に送信してこれに対応するコンテンツ５２を取得するようにしてもよい。
【００３７】
図８（Ｃ）の形態では、携帯端末装置２にポータルサーバ８のＵＲＬ５５を記憶しておく。ポータルサーバ８は、音響ＩＤ５０を用いて情報を提供するシステム（たとえば案内システム）において、ネットワーク３上に散在するコンテンツ５２を管理してユーザ６に容易に取得可能にする受付サーバである。ポータルサーバ８は、携帯端末装置２からＩＤコード５１を受信し、このＩＤコード５１に対応するＩＤ解決サーバ７のＵＲＬ５４を携帯端末装置２に返信する。携帯端末装置２が、音響ＩＤ５０を収音してＩＤコード５１をデコードしたとき、このＩＤコード５１をポータルサーバ８に送信し、その返信として対応するＩＤ解決サーバ７のＵＲＬ５４を取得する。次に、このＵＲＬ５４でＩＤ解決サーバ７にアクセスしＩＤコード５１を送信し、その返信として対応するコンテンツサーバ４のＵＲＬ５３を取得する。携帯端末装置２は、このＵＲＬ５３を用いてコンテンツサーバ４にアクセスすることによりコンテンツ５２を取得する。このときＩＤコード５１をコンテンツサーバ４に送信してこれに対応するコンテンツ５２を取得するようにしてもよい。
【００３８】
なお、図８（Ｂ）、（Ｃ）の形態において、コンテンツサーバ４とＩＤ解決サーバ７が同じサーバであってもよい。
【００３９】
また、図８（Ｂ）、（Ｃ）の形態において、ＩＤ解決サーバ７を複数設け、携帯端末装置２が複数のＩＤ解決サーバ７に順次アクセスしてコンテンツサーバ４に到達するような形態でもよく、この形態も本願の技術的範囲に含まれる。
【００４０】
なお、この実施形態では、携帯端末装置２としてスマートフォンを例示しているが、携帯端末装置はスマートフォンに限定されない。例えば、ＰＤＡ（Ｐｅｒｓｏｎａｌ  Ｄａｔａ  Ａｓｓｉｓｔａｎｃｅ）、タブレット端末または一般の携帯電話であってもよい。また、上記の実施形態では、案内システムを例にあげて説明したが、本発明の携帯端末装置２は、音響ＩＤ５０を収音してデコードするシステムであればどのようなシステムにも適用することが可能である。
【００４１】
また、この実施形態では、音響ＩＤ５０のデコードを制御部２０がソフトウェア的に行っているが、音響ＩＤ５０デコード用のＬＳＩなどのハードウェアを別途を設けてもよく、この場合、このハードウェアの電源をオン／オフすることで本発明が実現される。
【符号の説明】
【００４２】
１  案内装置
２  携帯端末装置（スマートフォン）
３  ネットワーク
４  コンテンツサーバ
６  ユーザ
７  ＩＤ解決サーバ
８  ポータルサーバ
１６  スピーカ
２９  スイッチ
４０  コンテンツデータベース
５０  音響ＩＤ
５１  ＩＤコード（識別情報）
５２  コンテンツ
２００  音声信号処理部
【図１】
2013005377.tif 000003
【図２】
2013005377.tif 000004
【図３】
2013005377.tif 000005
【図４】
2013005377.tif 000006
【図５】
2013005377.tif 000007
【図６】
2013005377.tif 000008
【図７】
2013005377.tif 000009
【図８】
2013005377.tif 000010